(57)【要約】【課題】本発明は、ソフトなタッチで、クッション性の高いブラシ装置およびブラシ装置の作製方法に関するものである。【解決手段】本発明のブラシ装置は、素材およびその間に含まれた空気のクッションによって被研磨材の表面が柔らかいものに適するものである。また、前記ブラシ装置は、複数の単位ブラシを集合して構成されている。前記単位ブラシは、第１の折り込み部と第２の折り込み部を備えており、前記素材のみならず、折り込まれた部分にも空気を蓄えることができ、研磨に際しクッション性を向上させている。【選択図】図１
2009107061.tif 000002
【特許請求の範囲】
【請求項１】
空気を含むことができる素材からなるブラシ装置において、
面状からなる前記素材の両側端部を互いに内方向へ折り込んだ第１の折り込み部と、第１の折り込み部における上下端部を互いに内方向へ折り込んだ第２の折り込み部とからなる単位ブラシと、
前記単位ブラシの複数が線状または環状に組み立てられたブラシ集合体と、
前記ブラシ集合体を往復運動または回転運動させる駆動装置と、
から少なくとも構成され、前記ブラシ集合体の移動により前記単位ブラシの折り込み側部から空気を含んだ状態で被研磨部材を研磨することを特徴とするブラシ装置。
【請求項２】
前記素材は、織布、不織布、発泡性ゴム部材、天然繊維、合成繊維の内の少なくとも一つからなることを特徴とする請求項１に記載されたブラシ装置。
【請求項３】
前記ブラシ集合体は、複数の単位ブラシをチャネルに取り付けたチャネルブラシであることを特徴とする請求項１または請求項２に記載されたブラシ装置。
【請求項４】
前記ブラシ集合体は、一本の前記チャネルブラシが回転軸に沿って螺旋状に取り付けられていることを特徴とする請求項１から請求項３のいずれか１項に記載されたブラシ装置。
【請求項５】
前記ブラシ集合体は、前記チャネルブラシが複数個回転軸に取り付けられていることを特徴とする請求項１から請求項３のいずれか１項に記載されたブラシ装置。
【請求項６】
前記ブラシ集合体は、カップブラシ、ロールブラシ、ホイールブラシのいずれかであることを特徴とする請求項１から請求項５のいずれか１項に記載されたブラシ装置。
【請求項７】
空気を含むことができる素材からなるブラシ装置の作製方法において、
面状に作製された前記素材の両側端部を互いに内方向へ折り込み、
その後、前記折り込み部における上下端部を互いに内方向へ折り込んで一つの単位ブラシを形成し、
前記単位ブラシの複数を取り付けてブラシ集合体を組み立て、
前記ブラシ集合体を駆動基材に取り付け、
前記ブラシ集合体を駆動させることにより、前記単位ブラシの折り込み側部から空気を取り込むことができることを特徴とするブラシ装置の作製方法。
【発明の詳細な説明】
【技術分野】
【０００１】
本発明は、ソフトなタッチで、クッション性の高いブラシ装置およびブラシ装置の作製方法に関するものである。本発明は、ブラシの素材およびブラシ集合体の中に空気を取り込みソフトなタッチとクッション性を有するブラシ装置およびブラシ装置の作製方法に関するものである。
【背景技術】
【０００２】
従来、固い表面を研磨する鏡面研磨用工具は、たとえば、実公平６−１８７８１号公報に記載されているように、ステンレス製の極細線からなる線材を織った後、一対の切断端部を内側に折り返すとともに、他の一対の端部も内側に折り返した後、チャネルに芯線を用いることによりブラシを作製していた。前記ブラシは、端部に切断面からなる部分がないために、被研磨材の表面を一様に研磨できる。
【特許文献１】実公平６−１８７８１号公報
【発明の開示】
【発明が解決しようとする課題】
【０００３】
しかし、近年、液晶、ガラス、樹脂等の面を研磨する必要が多くなった。前記柔らかい表面を研磨する素材は、たとえば、スポンジ、バフ素材等があった。また、前記従来のブラシは、研磨を機械によって行うため、被研磨材に当たる場合の衝撃がかかる場合がある。前記ブラシと被研磨材との当接時の問題を考慮したブラシ装置は、開発されていない。
【０００４】
以上のような課題を解決するために、本発明は、柔らかい表面を有する被研磨材を研磨するソフトでクッション性を考慮したブラシ装置およびブラシ装置の作製方法を提供することを目的とする。
【課題を解決するための手段】
【０００５】
（第１発明）
第１発明のブラシ装置は、空気を含むことができる素材からなり、面状からなる前記素材の両側端部を互いに内方向へ折り込んだ第１の折り込み部と、第１の折り込み部における上下端部を互いに内方向へ折り込んだ第２の折り込み部とからなる単位ブラシと、前記単位ブラシの複数が線状または環状に組み立てられたブラシ集合体と、前記ブラシ集合体を往復運動または回転運動させる駆動装置と、から少なくとも構成され、前記ブラシ集合体の移動により前記単位ブラシの折り込み側部から空気を含んだ状態で被研磨部材を研磨することを特徴とする。
【０００６】
（第２発明）
第２発明のブラシ装置において、第１発明の素材は、織布、不織布、発泡性ゴム部材、天然繊維、合成繊維の内の少なくとも一つからなることを特徴とする。
【０００７】
（第３発明）
第３発明のブラシ装置において、第１発明または第２発明のブラシ集合体は、複数の単位ブラシをチャネルに取り付けたチャネルブラシであることを特徴とする。
【０００８】
（第４発明）
第４発明のブラシ装置において、第１発明から第３発明のブラシ集合体は、一本の前記チャネルブラシが回転軸に沿って螺旋状に取り付けられていることを特徴とする。
【０００９】
（第５発明）
第５発明のブラシ装置において、第１発明から第４発明のブラシ集合体は、前記チャネルブラシが複数個回転軸に取り付けられていることを特徴とする。
【００１０】
（第６発明）
第６発明のブラシ装置において、第１発明から第５発明のブラシ集合体は、カップブラシ、ロールブラシ、ホイールブラシのいずれかであることを特徴とする。
【００１１】
（第７発明）
第７発明におけるブラシ装置の作製方法は、空気を含むことができる素材からなり、面状に作製された前記素材の両側端部を互いに内方向へ折り込み、その後、前記折り込み部における上下端部を互いに内方向へ折り込んで一つの単位ブラシを形成し、前記単位ブラシの複数を取り付けてブラシ集合体を組み立て、前記ブラシ集合体を駆動基材に取り付け、前記ブラシ集合体を駆動させることにより、前記単位ブラシの折り込み側部から空気を取り込むことができることを特徴とする。
【発明の効果】
【００１２】
本発明によれば、空気を含むことができる素材を複数回、折り込むことにより、ブラシを回転させた場合に、空気を巻き込んで、被研磨材との当接がソフトで、クッション性を有するブラシ装置およびブラシ装置の作製方法である。
【００１３】
本発明によれば、ブラシ素材自体が空気を含むものであり、さらに、折り込みを複数回行うことにより、さらに、多くの空気を貯えることができ、被研磨材に対してソフトタッチで研磨できる優れたブラシ装置およびブラシ装置の作製方法が得られる。
【００１４】
本発明によれば、単位ブラシの折り込み端部が多少開くようになるため、往復運動または回転運動により、この部分から空気を取り込み易い形状になっているため、常に、空気を取り込みながら研磨を行うことができる。
【００１５】
本発明によれば、必要に応じて、空気とともに水をブラシ内に取り込むこともでき、被研磨材に対する多くの対応が容易にできる。
【発明を実施するための最良の形態】
【００１６】
（第１発明）
第１発明のブラシ装置は、金属類あるいは鉱石類等を除く空気を含むことができる素材からなり、前記素材およびその間に含まれた空気のクッションによって被研磨材の表面が柔らかいものに適するものである。また、前記ブラシ装置は、複数の単位ブラシを集合して構成されている。前記単位ブラシは、第１の折り込み部と第２の折り込み部を備えており、前記素材のみならず、折り込まれた部分にも空気を蓄えることができ、研磨に際しクッション性を向上させている。
【００１７】
前記第１の折り込み部は、前記面状からなる前記素材の両側端部を互いに内方向へ折り込み、前記両側端部を重ねることなく、少し隙間を持たせることが望ましい。第２の折り込み部は、第１の折り込み部における上下両端部を互いに内方向へ折り込んみ、前記両端部を重ねることなく、少し隙間を持たせることが望ましい。前記単位ブラシは、複数個が組み立てられ、ブラシ集合体となる。前記ブラシ集合体は、ほぼ直線状または環状に組み立てられ、駆動装置によって往復運動または回転運動できるようになる。前記ブラシ装置は、ブラシ集合体が往復運動または回転運動することにより、前記単位ブラシの折り込み側部から空気を取り込んだ状態で被研磨部材の表面をソフトに研磨することができる。前記ブラシ集合体は、単位ブラシの複数を線状または環状にする場合、単線または複線とすることができる。
【００１８】
（第２発明）
第２発明のブラシ装置は、第１発明における素材として、織布、不織布、発泡性ゴム部材、天然繊維、合成繊維の内の少なくとも一つからなり、折り込み部以外の素材にも空気を蓄えることができるようにして、ブラシと被研磨材との当接面をソフトにすることで、被研磨面を所望の状態にすることができる。
【００１９】
（第３発明）
第３発明のブラシ装置は、第１発明または第２発明の単位ブラシが複数個チャネルに取り付けられてブラシ集合体を構成している。前記ブラシ集合体は、複数の単位ブラシからなるチャネルブラシとしているため、単位ブラシの折り込み部分から多くの空気を取り込むことができる。
【００２０】
（第４発明）
第４発明のブラシ装置は、複数の単位ブラシを一本のチャネルに取り付けて、ブラシ集合体としたものを回転軸に沿って螺旋状に取り付けられている。前記ブラシ装置は、単位ブラシおよび螺旋を形成する間からも空気を取り込むことができ、ソフトなタッチの研磨ができる。
【００２１】
（第５発明）
第５発明のブラシ装置は、複数の単位ブラシから構成されたチャネルブラシ互いに独立した複数個が回転軸に取り付けられている。前記ブラシ装置は、単位ブラシおよび独立したチャネルブラシの間から空気を取り込むことができ、クッション性の良いブラシを得ることができる。
【００２２】
（第６発明）
第６発明のブラシ装置は、ブラシ集合体を回転軸に対して取り付けたカップブラシ、ロールブラシ、ホイールブラシのいずれかであり、平面をソフトタッチで研磨するのに都合が良い。
【００２３】
（第７発明）
第７発明のブラシ装置の作製方法は、空気を含むことができる素材に往復運動または回転運動により、前記素材からなるブラシ集合体に空気を多く含ませることにより、ソフトなタッチとクッション性を向上させるものである。第１工程は、面状に作製された前記素材の両側端部を互いに当接または多少の間隙をもって内方向へ折り込む。第２工程は、前記折り込み部における上下端部を互いに当接または多少の間隙をもって内方向へ折り込んで一つの単位ブラシを形成する。
【００２４】
第３工程において、前記単位ブラシは、複数を直線状または環状にしてブラシ集合体が組み立てられる。第４工程は、前記ブラシ集合体を往復運動または回転運動を行う駆動基材に取り付けられる。前記ブラシ集合体からなるブラシ装置は、往復運動または回転運動によって、被研磨材を磨くとともに、前記単位ブラシの折り込み側部から空気を取り込んで、ソフトでクッション性の高いブラシ装置を得ることができる。
【実施例１】
【００２５】
図１（イ）は、本発明の単位ブラシを説明するための斜視図、（ロ）は単位ブラシをチャネルブラシとして組み立てたブラシ装置の例、（ハ）は環状のチャネルブラシを複数備えたブラシ装置の例、（ニ）はチャネルブラシを螺旋状にしたブラシ装置の例を説明するための図である。図１（イ）において、面状からなる前記素材は、金属類あるいは鉱石類等を除く、空気を含むことができる素材からなる。前記素材は、織布、不織布、発泡性ゴム部材、天然繊維、合成繊維の内の少なくとも一つからなる。また、前記素材は、前記各素材の複合したものを織って得ることもできる。
【００２６】
前記面状からなる素材の両側端部は、互いに内側に折り込み、重なることがないように当接または多少間隔を置くように配置されて、第１の折り込み部１１１とする。第１の折り込み部１１１を有する上下両端部は、互いに内方向へ折り込んみ、前記両端部を重ねることなく、少し隙間を持たせて、第２の折り込み部１１２としている。また、第１の折り込み部１１１および第２の折り込み部１１２からなる素材は、単位ブラシ１１を構成している。
【００２７】
前記単位ブラシ１１は、複数個が組み立てられ、ブラシ集合体となる。前記ブラシ集合体は、必要に応じて、ほぼ直線状または環状に組み立てられ、図示されていない、駆動装置によって往復運動または回転運動を行うことにより、被研磨面を研磨することができる。前記ブラシ集合体からなるブラシ装置は、往復運動または回転運動することにより、前記単位ブラシの折り込み側部から空気を取り込んだ状態で被研磨部材の表面をソフトに研磨することができる。前記ブラシ集合体は、単位ブラシ１１の複数を線状または環状に組み立てることができる。
【００２８】
図１（ロ）において、チャネルブラシ１２は、複数の単位ブラシ１１を二つ折りにして、その間に芯棒１４を挟み込んだ後、チャネル１３の間に押し込む。複数の単位ブラシ１１、１１′、１１″・・・は、図１（ロ）に示すようにチャネル１３に押し込まれた後、前記チャネル１３の両側を押圧することにより、一本のチャネルブラシができる。前記チャネルブラシ１２は、それぞれの端部に空気取込部１１３、１１４が形成される。
【００２９】
図１（ハ）において、環状チャネルブラシ１５は、図１（ロ）に示すチャネルブラシを環状に成形して環状ブラシ１５１とする。前記環状ブラシ１５１は、複数個が図示のように連設されて環状ブラシ１５となる。図１（ニ）において、図１（ロ）に示すチャネルブラシ１２は、回転軸１６１に沿って螺旋状に設けられ、螺旋状チャネルブラシ１６となる。これらのブラシは、たとえば、図１（ハ）に示すように、矢印１５２の方向に回転した場合、矢印１５３から空気を吸込み、繊維等とともに内部を膨らませる。前記空気を含んだブラシ装置は、被研磨材（図示されていない）に対してソフトなタッチで、接触しながら研磨を行うことができる。
【実施例２】
【００３０】
図２は本発明の第２実施例で、（イ）はカップブラシの例、（ロ）は棒状ブラシの例、（ハ）は往復運動を行うブラシの例である。図１（イ）において、カップブラシ２１は、チャネルからなる支持金具２１１に複数の単位ブラシ２１２が研磨面２１３を下に向けて取り付けられている。前記単位ブラシ２１２の間には、折り込み部の端部から空気を取り込む空気取込部２１４が形成されている。前記カップブラシ２１は、回転する際に空気取込ブラシ２１４から空気を取り込み、ブラシの素材とともに、クッション性の富んだブラシとなる。
【００３１】
図２（ロ）において、棒状ブラシ２２は、支持金具２２１に複数単位ブラシ２２３が複数個、棒状に取り付けられている。前記単位ブラシ２２３の隣合った部分には、空気取り込み部２２４が形成されているため、単位ブラシ２２３が膨らんだ状態で回転し、図示されていない、被研磨材をソフトに研磨することができる。
【００３２】
図２（ハ）において、ブラシ装置２３は、取付金具２３１に２列に単位ブラシ２３２が取り付けられている。前記ブラシ装置２３は、装置取付部２３５によって駆動装置に取り付けられる。前記ブラシ装置２３は、矢印のように、往復運動を行う際に、空気取込部２３４から空気を取り込み、クッション性を高いブラシ装置となる。
【００３３】
本発明の単位ブラシの長さおよび幅は、任意にすることができるとともに、素材を研磨目的に合わせることが容易にできる。また、前記単位ブラシを集合したブラシ集合体は、任意の個数を組み立てて、任意の形状にすることができる。
【００３４】
以上、本発明の実施例を詳述したが、本発明は、前記実施例に限定されるものではない。そして、本発明は、特許請求の範囲に記載された事項を逸脱することがなければ、種々の設計変更を行うことが可能である。ブラシ素材の種類、混合の程度、太さ、形状は、周知または公知のものを任意に選択することができる。
【図面の簡単な説明】
【００３５】
【図１】（イ）は、本発明の単位ブラシを説明するための斜視図、（ロ）は単位ブラシをチャネルブラシとして組み立てたブラシ装置の例、（ハ）は環状のチャネルブラシを複数備えたブラシ装置の例、（ニ）はチャネルブラシを螺旋状にしたブラシ装置の例を説明するための図である。（実施例１）
【図２】本発明の第２実施例で、（イ）はカップブラシの例、（ロ）は棒状ブラシの例、（ハ）は往復運動を行うブラシの例である。（実施例２）
【符号の説明】
【００３６】
１１、１１′、１１″・・・単位ブラシ
１１１・・・第１の折り込み部
１１２・・・第２の折り込み部
１２・・・チャネルブラシ
１３・・・チャネル
１４・・・芯棒
１１３、１１４・・空気取込部
１５・・・環状ブラシ
１５１・環状チャネルブラシ
１６・・・螺旋状チャネルブラシ
１６１・・・回転軸
【図１】
2009107061.tif 000003
【図２】
2009107061.tif 000004